(57)【要約】【課題】バッテリーポストに十分な締付力で装着することが可能なバッテリーターミナルを提供することを目的とする。【解決手段】バッテリーターミナル１０は、ターミナル本体３、ターミナル本体３に挿入されるカム部材２、およびカム部材２を下方に移動させるために、ターミナル本体３に締付けられるねじ部材１によって構成されている。バッテリーポストＢＰに締付けられる円環部４にそれぞれ連結された第１拡開部５と第２拡開部６との間に、外周部にカム面が形成されたカム部材２を挿入し、ねじ部材１を上方よりカム部材２の挿通孔２ｄに挿通させた後、第１拡開部５に取付けられた締付部８のねじ孔にねじ込むことによって、カム部材２を下方に移動させ、第１拡開部５と第２拡開部６とを互いに拡張して、円環部４をバッテリーポストＢＰに締付ける。【選択図】  図１
2004319217.tif 000002
【特許請求の範囲】
【請求項１】
円環状に回曲されて形成され、バッテリーポストと嵌合する円環部、および前記円環部の両端部から互いに交叉するように連続し互いに対向した一対の拡開部を含むターミナル本体、
前記ターミナル本体の前記拡開部の間に挿入され、その外周面に鉛直方向に移動することによって前記拡開部を互いに拡張するカム面が形成されているカム部材、および
前記カム部材を前記拡開部の間において鉛直方向に移動させるカム部材移動手段を備え、
前記カム部材移動手段によって前記カム部材を前記拡開部の間において鉛直方向に移動させて、前記拡開部を互いに拡張させることによって、前記ターミナル本体を前記バッテリーポストに固着させることを特徴とするバッテリーターミナル。
【請求項２】
前記カム部材移動手段は、前記拡開部の内の一側に取付けられた締付部、および前記締付部および前記カム部材の内の一方に形成された挿通孔に上方より挿通されるとともに、他方に形成されたねじ孔に螺合するねじ部材によって構成され、
前記ねじ部材を前記ねじ孔にねじ込んで、前記カム部材を鉛直方向に移動させ、前記拡開部を互いに拡張させることによって、前記ターミナル本体を前記バッテリーポストに固着させることを特徴とする請求項１記載のバッテリーターミナル。
【請求項３】
前記締付部に前記ねじ孔を設けるとともに、前記カム部材に前記挿通孔を形成し、前記ねじ部材を前記カム部材に挿通させた後、前記締付部の前記ねじ孔に締付けることによって、前記カム部材を鉛直方向下方に移動させ、前記拡開部を互いに拡張させることを特徴とする請求項２記載のバッテリーターミナル。
【請求項４】
前記拡開部の内の一方にスリットを形成し、他方を前記スリットに挿通することによって前記拡開部を互いに交叉させ、交叉させた前記拡開部の内の少なくともどちらかを屈曲させることによって、双方が所定の空間を保持して対向し、前記拡開部の内の他方の先端部を再び前記スリットに挿通させ、再び挿通させた前記先端部に前記スリットから抜け出ることを防ぐ抜止部を形成したことを特徴とする請求項１乃至請求項３の内のいずれかに記載のバッテリーターミナル。
【発明の詳細な説明】
【０００１】
【発明の属する技術分野】
本発明は、自動車等に搭載されるバッテリーのバッテリーポストに固着されるバッテリーターミナルに関する。
【０００２】
【従来の技術】
従来から自動車用バッテリーの電極であるバッテリーポストに固着されるバッテリーターミナルとして、バッテリーポストに嵌合する円環部に連続した締付片を内側が斜面である２つの脚部を備えたホルダと、ホルダと対向した締付具によって鉛直方向に挟み込み、ボルトによってホルダと締付具とを鉛直方向に締付けて、脚部に設けた斜面の作用によって２つの締付片を締付け、ターミナル本体をバッテリーポストに固着させるものがあった（例えば、特許文献１参照）。
【０００３】
【特許文献１】
実開昭６２−１２２６４号公報（第１図）
【０００４】
【発明が解決しようとする課題】
上述した従来技術によれば、ホルダの２つの脚部で締付片を挟みながら下降させることによって締付片を締付ける構造のため、締付け時の締付片からの反力によってホルダの脚部が開いてしまい、締付片を十分に締付けることができない。また、脚部の開きを防ぐためにホルダを板厚の厚い材料にすれば、ホルダの成形がしにくく、部品重量も増えて締付作業の妨げとなる。
【０００５】
本発明は上述のような事情に基づいて完成されたものであって、バッテリーポストに十分な締付力で装着することが可能なバッテリーターミナルを提供することを目的とする。
【０００６】
【課題を解決するための手段】
上述した目的を達成するための手段として、請求項１の発明は、円環状に回曲されて形成され、バッテリーポストと嵌合する円環部、および前記円環部の両端部から互いに交叉するように連続し互いに対向した一対の拡開部を含むターミナル本体、前記ターミナル本体の前記拡開部の間に挿入され、その外周面に鉛直方向に移動することによって前記拡開部を互いに拡張するカム面が形成されているカム部材、および前記カム部材を前記拡開部の間において鉛直方向に移動させるカム部材移動手段を備え、前記カム部材移動手段によって前記カム部材を前記拡開部の間において鉛直方向に移動させて、前記拡開部を互いに拡張させることによって、前記ターミナル本体を前記バッテリーポストに固着させることを特徴とするバッテリーターミナルとした。
【０００７】
請求項２の発明は、前記カム部材移動手段は、前記拡開部の内の一側に取付けられた締付部、および前記締付部および前記カム部材の内の一方に形成された挿通孔に上方より挿通されるとともに、他方に形成されたねじ孔に螺合するねじ部材によって構成され、前記ねじ部材を前記ねじ孔にねじ込んで、前記カム部材を鉛直方向に移動させ、前記拡開部を互いに拡張させることによって、前記ターミナル本体を前記バッテリーポストに固着させることを特徴とする請求項１記載のバッテリーターミナルとした。
【０００８】
請求項３の発明は、前記締付部に前記ねじ孔を設けるとともに、前記カム部材に前記挿通孔を形成し、前記ねじ部材を前記カム部材に挿通させた後、前記締付部の前記ねじ孔に締付けることによって、前記カム部材を鉛直方向下方に移動させ、前記拡開部を互いに拡張させることを特徴とする請求項２記載のバッテリーターミナルとした。
【０００９】
請求項４の発明は、前記拡開部の内の一方にスリットを形成し、他方を前記スリットに挿通することによって前記拡開部を互いに交叉させ、交叉させた前記拡開部の内の少なくともどちらかを屈曲させることによって、双方が所定の空間を保持して対向し、前記拡開部の内の他方の先端部を再び前記スリットに挿通させ、再び挿通させた前記先端部に前記スリットから抜け出ることを防ぐ抜止部を形成したことを特徴とする請求項１乃至請求項３の内のいずれかに記載のバッテリーターミナルとした。
【００１０】
【発明の作用及び効果】
＜請求項１の発明＞
一対の拡開部の間にカム部材を挿入し、カム部材を鉛直方向に移動させて拡開部を互いに拡張させることによって、ターミナル本体をバッテリーポストに固着させる構造にしたため、円環部をバッテリーポストに締付ける際にバッテリーポストから受ける反力は拡開部を狭める方向に働き、カム部材を変形させる力とはなりにくいため、バッテリーポストへの締付けを十分に行うことができる。
【００１１】
＜請求項２の発明＞
ねじ部材を拡開部の内の一側に取付けられた締付部およびカム部材の内の一方に形成された挿通孔に上方より挿通した後、他方に形成されたねじ孔にねじ込んで、カム部材を鉛直方向に移動させ、拡開部を互いに拡張させる構造にしたため、簡単な構成で確実にターミナル本体をバッテリーポストに固着させることができる。
【００１２】
＜請求項３の発明＞
ねじ部材をカム部材に挿通させた後、締付部のねじ孔に締付けることによって、カム部材を下方に移動させ、拡開部を互いに拡張させる構成にしたことによって、締付時のカム部材のターミナル本体への仮置きが可能となり、ねじ部材のねじ込み前にターミナル本体からカム部材が脱落することを防ぐことができ、締付作業性のよいバッテリーターミナルとすることができる。
【００１３】
＜請求項４の発明＞
拡開部の内の一方を他方に形成したスリットに挿通させて互いに所定の空間を保持して対向させ、スリットに挿通させた拡開部の先端部を再びスリットに挿通させて、スリットに挿通させた先端部にスリットから抜け出ることを防ぐ抜止部を形成したことによって、拡開部の端部同士が係合して外れない構成となり、カム部材が拡開部の端部から脱落することなく安定して拡開部を拡張できる。
【００１４】
【発明の実施の形態】
以下、本発明の実施形態を添付図面に基づいて説明する。図１に示すように本実施形態によるバッテリーターミナル１０は、ターミナル本体３、ターミナル本体３に上方より挿入されるカム部材２、およびカム部材２を下方に移動させるために、ターミナル本体３に締付けられるねじ部材１によって構成されている。
【００１５】
ターミナル本体３の円環部４は、バッテリーポストに嵌合されるために円環状に回曲されて形成されており、その円周上の１箇所が開口している。円環部４は自由状態で、その内周部にバッテリーポストが挿入できる大きさに形成されている。開口した円環部４の一側の端部は、直線状に延びており第１拡開部５が形成されている。第１拡開部５の鉛直方向の中間位置には、後述する第２拡開部６が挿通されるためのスリット５ａが形成されている。
【００１６】
一方、開口した円環部４の他側は、その上端部および下端部が切り欠かれたうえ、直線状に延びて上述した第１拡開部５のスリット５ａ内に挿通された後（交叉した後）に屈曲され、第２拡開部６を形成している。屈曲された第２拡開部６の先端部は、再びスリット５ａに挿通された後、鉛直方向に延びた幅広の抜止部７が形成されている。抜止部７が第１拡開部５と係合することによって、第２拡開部６は第１拡開部５のスリット５ａから抜けることがなく、第１拡開部５と第２拡開部６の端部同士の係合が外れることはない。上述した構成により、第１拡開部５と第２拡開部６とは円環部４の軸方向に対して垂直な横方向に互いに対向するようになり、双方の間には拡開空間ＥＳが形成される。尚、スリットを第２拡開部６に設けて、第１拡開部５をスリットに挿通させる構成にしてもよい。また、ターミナル本体３が自由状態にあるとき、抜止部７は第１拡開部５と係合しておらず、第１拡開部５と第２拡開部６とは互いに離れるように拡開可能な状態にある（図３および図４示）。
【００１７】
第１拡開部５の下端部には、第２拡開部６の下方に突出するように半円形に形成された締付部８が取付けられている。締付部８のほぼ中央部には、ねじ部材１と螺合するねじ孔８ａが形成されている。締付部８を、第２拡開部６に取付けられ第１拡開部５に向けて突出する構成にしてもよい。尚、締付部８と上述したねじ部材１は、本発明のカム部材移動手段を構成する。更に、第１拡開部５には電源線あるいはアース線が接続される一対の耳状の電源線接続部９が連結されている。円環部４、第１拡開部５、第２拡開部６、抜止部７および電源線接続部９は、板材にて一体に形成されており、締付部８は第１拡開部５の下端部に溶接等で固着されている。
【００１８】
カム部材２は、上述した第１拡開部５と第２拡開部６の間に形成された拡開空間ＥＳに挿入可能なように、上方から見たときに略５角形をしており、その上方部は水平方向の断面のサイズが大きい大径部２ａとされ、下方部は水平方向の断面のサイズが大径部２ａよりも小さく、大径部２ａに対して相似形に形成された小径部２ｃとされている。小径部２ｃは、ターミナル本体３が自由状態であるときの、拡開空間ＥＳ内に挿入可能な大きさにされている。また、大径部２ａと小径部２ｃとは傾斜部２ｂにて連結されており、傾斜部２ｂおよび小径部２ｃによって、カム部材２の外周面に形成されたカム面を構成している。カム部材２には鉛直方向に貫通し、ねじ部材１が挿通可能な挿通孔２ｄが形成されている。
【００１９】
以下、図２乃至図７に基づいて、バッテリーターミナル１０のバッテリーポストＢＰへの装着方法について説明する。尚、図２乃至図４においては、本来接続されている電源線は省略されている。電源線接続部９をかしめて電源線（アース線でもよい）が接続されたターミナル本体３の円環部４を、図２乃至図４に示すようにバッテリーＢＴの上端面に立設された略円柱状のバッテリーポストＢＰに被せる。
【００２０】
次に、第１拡開部５と第２拡開部６によって形成された拡開空間ＥＳ内に、上方からカム部材２の小径部２ｃを挿入することによって、カム部材２をターミナル本体３に仮置きする（図２乃至図４示）。上述したように、小径部２ｃはターミナル本体３が自由状態であるときの、拡開空間ＥＳ内に挿入可能な大きさに形成されているため、拡開空間ＥＳ内に挿入されたカム部材２が、ターミナル本体３から脱落することはない。
【００２１】
その後、上方よりねじ部材１をカム部材２の挿通孔２ｄ内に鉛直方向に挿通させ、カム部材２を通過したねじ部材１を締付部８のねじ孔８ａに螺合させる。ねじ部材１をねじ孔８ａにねじ込んでいくことによって、カム部材２はその上面からねじ部材１によって押圧されて、鉛直方向下方に移動し始める。カム部材２の下方への移動によって、カム部材２の傾斜部２ｂが拡開空間ＥＳ内に入り込み、第１拡開部５と第２拡開部６とを互いに離れるように拡開（拡張）させる（拡開空間ＥＳを拡張させる）。第１拡開部５と第２拡開部６との拡開によって、円環部４は縮径し始める。
【００２２】
カム部材２の下方への移動が進み、傾斜部２ｂの拡開空間ＥＳ内での下降が進むと、図６に矢印で示したように、第１拡開部５と第２拡開部６とによる拡開（拡張）が著しくなり、円環部４の縮径によってバッテリーポストＢＰを締付け、ターミナル本体３がバッテリーポストＢＰに強固に取付けられ、図５乃至図７に示すようにバッテリーターミナル１０のバッテリーポストＢＰへの装着が完了する。
【００２３】
本実施形態によるバッテリーターミナル１０によれば、第１拡開部５と第２拡開部６の間にカム部材２を挿入し、カム部材２を下方に移動させて第１拡開部５と第２拡開部６を互いに拡張させることによって、ターミナル本体３をバッテリーポストＢＰに固着させる構造にしたため、円環部４をバッテリーポストＢＰに締付ける際のバッテリーポストＢＰから受ける反力は、第１拡開部５と第２拡開部６の間を狭める方向に働き、カム部材２を変形させる力とはなりにくいため、バッテリーポストＢＰへの締付けを十分に行うことができる。
【００２４】
ねじ部材１をカム部材２に形成された挿通孔２ｄに上方より挿通した後、第１拡開部５に取付けられた締付部８に形成されたねじ孔８ａにねじ込んで、カム部材２を鉛直方向下方に移動させ、第１拡開部５と第２拡開部６を互いに拡張させる構造にしたため、簡単な構成で確実にターミナル本体３をバッテリーポストＢＰに固着させることができる。また、バッテリーターミナル１０をバッテリーポストＢＰに締付ける際に、カム部材２を第１拡開部５と第２拡開部６の間に挿入することによって、カム部材２のターミナル本体３への仮置きが可能となり、ねじ部材１のねじ込み前にターミナル本体３からカム部材２が脱落することを防ぐことができ、締付作業性のよいバッテリーターミナル１０とすることができる。
【００２５】
第２拡開部６を第１拡開部５に形成したスリット５ａに挿通させて互いに所定の空間を保持して対向させ、スリット５ａに挿通させた先端部を再びスリット５ａに挿通させて、先端部にスリット５ａから抜け出ることを防ぐ抜止部７を形成したことによって、第２拡開部６の端部の係合が外れない構成となり、カム部材２が第１拡開部５および第２拡開部６から脱落することなく安定して第１拡開部５と第２拡開部６を拡張できる。
【００２６】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）締付部に挿通孔を形成し、カム部材にねじ孔を形成して、バッテリーターミナルの締付け時に、カム部材を締付部の下に載置して、ねじ部材を上方より締付部の挿通孔に挿通させた後、カム部材のねじ孔にねじ込むことによって、カム部材を上方に移動させて、拡開部を拡張させるようにしてもよい。
（２）カム部材のカム面は、小径部と傾斜部との組み合わせでなくても任意の形状が可能である。
【図面の簡単な説明】
【図１】本実施形態によるバッテリーターミナルの分解斜視図である。
【図２】図１に示したバッテリーターミナルの締付前の正面図である。
【図３】図１に示したバッテリーターミナルの締付前の平面図である。
【図４】図１に示したバッテリーターミナルの締付前の側面図である。
【図５】図１に示したバッテリーターミナルのバッテリーポストに締付けた時の正面図である。
【図６】図１に示したバッテリーターミナルのバッテリーポストに締付けた時の平面図である。
【図７】図１に示したバッテリーターミナルのバッテリーポストに締付けた時の側面図である。
【符号の説明】
１…ねじ部材
２…カム部材
２ａ…大径部
２ｂ…傾斜部
２ｃ…小径部
２ｄ…挿通孔
３…ターミナル本体
４…円環部
５…第１拡開部
５ａ…スリット
６…第２拡開部
７…抜止部
８…締付部
８ａ…ねじ孔
１０…バッテリーターミナル
ＢＰ…バッテリーポスト
ＥＳ…拡開空間
【図１】
2004319217.tif 000003
【図２】
2004319217.tif 000004
【図３】
2004319217.tif 000005
【図４】
2004319217.tif 000006
【図５】
2004319217.tif 000007
【図６】
2004319217.tif 000008
【図７】
2004319217.tif 000009